(57)【要約】【課題】多孔性樹脂を有するシート状の圧電素子を備えたセンサーを備え、温度変化による出力レベルの変動を抑える温度補償が可能なセンサー出力装置を提供する。【解決手段】センサー出力装置１００は、多孔性樹脂を有する圧電素子を備えたセンサー１と、前記センサー１の出力とグランドとを接続するサーミスタ２２を有する出力回路と、を備える。もしくは、センサー出力装置は、多孔性樹脂を有する圧電素子を備えたセンサー１と、帰還回路にサーミスタが接続されたオペアンプを有する出力回路と、を備える。【選択図】図１
2019087886.tif 000002
【特許請求の範囲】
【請求項１】
多孔性樹脂を有する圧電素子を備えたセンサーと、
前記センサーの出力とグランドとを接続するサーミスタを有する出力回路と、を備えた
センサー出力装置。
【請求項２】
前記出力回路は、前記センサーの出力と前記サーミスタとの間に抵抗器を有する、
請求項１に記載のセンサー出力装置。
【請求項３】
多孔性樹脂を有する圧電素子を備えたセンサーと、
帰還回路にサーミスタが接続されたオペアンプを有する出力回路と、を備えた
センサー出力装置。
【請求項４】
前記帰還回路は、前記サーミスタに抵抗器が直列接続されている、
請求項３に記載のセンサー出力装置。
【請求項５】
前記センサーと、前記出力回路とは、一つの筐体に格納されている、
請求項１から請求項４のいずれか一項に記載のセンサー出力装置。
【請求項６】
請求項１から請求項５のいずれか一項に記載の前記センサー出力装置と、
第二センサーと、第二センサー用出力回路と、を有した第二センサー出力装置と、
前記センサー出力装置と前記第二センサー出力装置との出力信号の信号を処理する信号処理装置と、を備えた
音響出力装置。
【請求項７】
請求項１から請求項５のいずれか一項に記載の前記センサー出力装置を備えた
楽器。
【請求項８】
請求項６に記載の前記音響出力装置を備えた
楽器。
【発明の詳細な説明】
【技術分野】
【０００１】
本発明は、多孔性樹脂を有する圧電素子を備えたセンサー出力装置、音響出力装置および同音響出力装置を備えた楽器に関する。
【背景技術】
【０００２】
従来、振動検出対象物の振動部分に取り付けられ、この振動部分の振動を検出して電気信号として出力可能な振動検出センサーが知られている。また、このような振動検出センサーとして、多孔性樹脂フィルムの両面に電極層を設けた圧電素子を利用するセンサーが知られている（例えば、特許文献１参照）。
【０００３】
このような多孔性樹脂を有するシート状の圧電素子を備えたセンサーは、厚さ方向に柔らかいため振動の検出に適し、また軽く薄いため振動検出対象物の振動に影響を与えない。そのため、このような多孔性樹脂を有する圧電素子を備えたセンサーは、例えば振動及び音の両方を検出する楽器用のピックアップとして好適に用いられる。
【先行技術文献】
【特許文献】
【０００４】
【特許文献１】特開２０１０−８９４９５号公報
【発明の概要】
【発明が解決しようとする課題】
【０００５】
しかしながら、多孔性樹脂を有する圧電素子を備えたセンサーは、感度の温度依存性が高く、センサーの出力レベルが周囲温度により大きく変動する。そのため、例えば楽器用のピックアップとして使用した場合、ステージ上での照明等によってセンサーの温度が上昇し、センサーの出力レベルが大きく変動することがあった。
【０００６】
本発明は、上記の事情に鑑みなされたもので、多孔性樹脂を有する圧電素子を備えたセンサーを備え、温度変化による出力レベルの変動を抑える温度補償が可能なセンサー出力装置、音響出力装置および同音響出力装置を備える楽器を提供することを目的とする。
【課題を解決するための手段】
【０００７】
上記課題を解決するために、この発明は以下の手段を提案している。
本発明の第一の態様に係るセンサー出力装置は、多孔性樹脂を有する圧電素子を備えたセンサーと、前記センサーの出力とグランドとを接続するサーミスタを有する出力回路と、を備える。
また、本発明の第二の態様に係るセンサー出力装置は、多孔性樹脂を有する圧電素子を備えたセンサーと、帰還回路にサーミスタが接続されたオペアンプを有する出力回路と、を備える。
【発明の効果】
【０００８】
本発明によれば、多孔性樹脂を有する圧電素子を備えたセンサーを備え、温度変化による出力レベルの変動を抑える温度補償が可能なセンサー出力装置および同センサー出力装置を備える楽器を提供することができる。
【図面の簡単な説明】
【０００９】
【図１】本発明の第一実施形態に係るセンサー出力装置を示すブロック図である。
【図２】同センサー出力装置のセンサーの側面図である。
【図３】同センサー出力装置のセンサーの温度とセンサー感度との関係を示すグラフである。
【図４】同センサー出力装置のセンサー用出力回路のサーミスタの温度と抵抗値との関係を示すグラフである。
【図５】同センサー出力装置のセンサー用出力回路のサーミスタの温度と分圧回路の出力電圧の関係を示すグラフである。
【図６】同センサー出力装置の温度と出力信号の電圧レベルとの関係を示すグラフである。
【図７】本発明の第二実施形態に係るセンサー出力装置を示すブロック図である。
【図８】同センサー出力装置のセンサー用出力回路の温度とアンプゲインとの関係を示すグラフである。
【図９】同センサー出力装置の温度と出力信号の電圧レベルとの関係を示すグラフである。
【図１０】本発明の第三実施形態に係るアコースティックギター用の音響出力装置のブロック図である。
【発明を実施するための形態】
【００１０】
（第一実施形態）
以下、本発明の第一実施形態に係るセンサー出力装置１００を、図１から図６を参照しながら説明する。なお、図面を見やすくするため、各構成要素の厚さや寸法の比率は適宜調整されている。
【００１１】
図１は、センサー出力装置１００を示すブロック図である。
センサー出力装置１００は、図１に示すように、シートセンサー１と、センサー用出力回路２と、を備えている。シートセンサー１とセンサー用出力回路２とは一つの筐体に格納されている。
【００１２】
図２は、図１に示すシートセンサー１の側面図である。
シートセンサー（センサー）１は、多孔性樹脂を有するシート状の圧電素子１１を備えたセンサーである。圧電素子１１は、図２に示すように、エレクトレット化フィルム１２の両面に電極層１３（第１電極層１３ａおよび第２電極層１３b）が積層されている。
【００１３】
エレクトレット化フィルム１２は、多孔性樹脂を有するシート状のフィルムであり、例えば、多孔質層の少なくとも片面に電解層を設けた樹脂フィルムを加圧条件下で非反応性ガスを浸透させ、次いで非加圧条件下で加熱処理を施した多孔性樹脂フィルムに、直流高電圧放電処理を施してエレクトレット化したものである（特開２０１０−８９４９５号公報参照）。
【００１４】
内部に電荷を確保可能な多孔質層を含む多孔性樹脂フィルムをエレクトレット化したエレクトレット化フィルム１２は、長期間安定して電荷を保持することができる。
【００１５】
エレクトレット化フィルム１２は、圧電効果を示すことが知られており、振動測定、振動制御、音の発生、音の検出などに使用することができる。そのため、エレクトレット化フィルム１２は、その軽量性を活かして、スピーカー、ヘッドフォン、マイクロフォンなど音響機器の振動子、フレキシブルシート状の圧力センサーなどに使用することができる。
【００１６】
電極層１３は、図２に示すように、エレクトレット化フィルム１２の両面に積層される（第１電極層１３ａおよび第２電極層１３ｂ）。第１電極層１３ａおよび第２電極層１３ｂは、それぞれリード線（不図示）に接続され、このリード線は、一方が出力端子１４に、他方がグランドに接続される。第１電極層１３ａ及び第２電極層１３ｂの形成材料としては、導電性を有する限り特に限定されるものではなく、例えばアルミニウム、銀等の各種金属やこれらの金属の合金、カーボン等が挙げられる。
【００１７】
このような多孔性樹脂を有する圧電素子１１を備えたシートセンサー１は、厚さ方向に柔らかいため音の検出に適し、また軽く薄いため楽器の振動を抑制しない。そのため、シートセンサー１は、振動及び音の両方を検出する楽器用ピックアップとして好適に用いられる。なお、「音」とは空気を介して伝わる空気の粗密波を意味し、「振動」とは固体を伝搬してセンサーまで伝わる振動を意味するものとする。
【００１８】
図３は、シートセンサー１の温度とセンサー感度との関係を示すグラフである。
シートセンサー１は、図３で示すように、材料の特性により、温度が高いほどセンサー感度が高くなり、シートセンサー１からの出力信号の電圧レベルが上がる。温度依存性は＋０．２ｄｂ／℃程度である。センサー出力装置１００を楽器用ピックアップとして使用する場合の使用温度範囲である０℃から５０℃程度までの範囲においては、シートセンサー１はリニアな温度依存性を有する。
【００１９】
センサー用出力回路２は、図１に示すように、オペアンプ２１と、サーミスタ２２と、第一抵抗２３と、第二抵抗２４と、第三抵抗２５と、を有している。第一抵抗２３、第二抵抗２４および第三抵抗２５は、抵抗器である。なお、図１に示すブロック図には、主要な電子部品のみが示されており、コンデンサや抵抗等の電子回路に必要な部品であっても、本実施形態の効果に直接関係のないものは省略されている。
【００２０】
サーミスタ２２は、温度変化に対して大きな抵抗変化を示す抵抗器である。サーミスタ２２は、一般的な熱過敏性抵抗器(Thermally sensitive resistor)である。サーミスタ２２の種類は特に限定されない。サーミスタ２２は、負の温度係数を持つものであればよく、例えばＮＴＣ型サーミスタである。
【００２１】
図４は、サーミスタ２２の温度と抵抗値Ｒｓとの関係を示すグラフである。
サーミスタ２２は、図４で示すように、温度が高くなると、抵抗値Ｒｓは小さくなる抵抗温度特性を有する。センサー出力装置１００を楽器用ピックアップとして使用する場合の使用温度範囲である０℃から５０℃程度までの範囲において、サーミスタ２２はリニアな抵抗温度特性を有する。
【００２２】
サーミスタ２２および第一抵抗２３は、シートセンサー１の出力端子１４から入力される電気信号の電圧を分圧する分圧回路を形成する。分圧回路の出力電圧Ｖｏｕｔは、第一抵抗２３の抵抗値Ｒ１と、サーミスタ２２の抵抗値Ｒｓとの比によって決まる。シートセンサー１の出力端子１４からの入力電圧をＶｉｎとすると、分圧回路の出力電圧Ｖｏｕｔは、（Ｒ１／Ｒ１＋Ｒｓ）×Ｖｉｎとなる。
なお、第一抵抗２３がない場合であっても、サーミスタ２２がシートセンサー１の出力端子１４とグランドとを接続するように配置されていれば、上記の分圧回路は機能する。
【００２３】
図５は、サーミスタ２２の温度と分圧回路の出力電圧の関係を示すグラフである。
サーミスタ２２は、図４で示すように、温度が高くなると、抵抗値Ｒｓは小さくなる。そのため、入力電圧が一定の場合、温度が高くなると、分圧回路の出力電圧は低くなる。
【００２４】
オペアンプ２１は、シートセンサー１の出力端子１４から入力される電気信号を増幅する。出力端子１４から出力される電気信号は、サーミスタ２２および第一抵抗２３で形成される分圧回路と、第二抵抗２４とを介して、オペアンプ２１の反転入力端子（−）に接続されている。オペアンプ２１の非反転入力端子（＋）はグランドに接続されている。オペアンプ２１の出力信号は、第三抵抗２５で構成される帰還抵抗を介して、オペアンプ２１の反転入力端子（−）に接続されている。
【００２５】
このように構成されたセンサー用出力回路２は、いわゆる反転増幅回路を構成し、入力信号を増幅し反転出力する。ここで、センサー用出力回路２は、反転増幅回路に限定されない。センサー用出力回路２は、帰還回路によるフィードバックを有し、入力信号を増幅する回路、例えば非反転増幅回路であってもよい。
【００２６】
なお、オペアンプ２１の種類は特に限定されない。シートセンサー１からの入力信号を増幅するために、シートセンサー１からの入力電圧の範囲が、オペアンプ２１の飽和領域でなく能動領域に含まれるように、オペアンプ２１を選定する。
【００２７】
次に、センサー出力装置１００の温度が変化した際の動作について説明する。温度が上昇すると、図３に示すように、シートセンサー１からの出力信号のレベルが上がる。その結果、分圧回路に入力される入力信号の電圧レベルは上がる。一方、温度が上昇すると分圧回路から出力される出力電圧は、入力電圧が一定の場合、図５に示すように低下する。
【００２８】
図６は、センサー出力装置１００の温度と出力信号の電圧レベルとの関係を示すグラフである。センサー出力装置１００の温度が上昇して、センサー用出力回路２への入力信号の電圧レベルが上昇した場合であっても、分圧回路による出力電圧の低下により、図６に示すように、オペアンプ２１への入力電圧の変動を抑えることができ、さらにセンサー用出力回路２の電圧レベルの変動を抑えることができる。
【００２９】
（第一実施形態の効果）
以上のように構成される本実施形態のセンサー出力装置１００によれば、センサー用出力回路２により、多孔性樹脂を有するシート状の圧電素子１１を備えたシートセンサー１の温度変化による出力レベルの変動を抑える温度補償が可能となる。
【００３０】
また、本実施形態のセンサー出力装置１００によれば、センサー用出力回路２は、簡単な電気回路を付加するのみ容易に実装でき、また、安価に実装できる。
【００３１】
シートセンサー１のセンサー感度の温度特性（図３参照）と、サーミスタ２２により形成される分圧回路の温度特性（図５参照）とは、温度による特性の変化の向きが反対となる。特に、センサー出力装置１００を楽器用ピックアップとして使用する場合の使用温度範囲である０℃から５０℃程度までの範囲においては、シートセンサー１のセンサー感度の温度特性（図３参照）および、サーミスタ２２により形成される分圧回路の温度特性（図５参照）は、リニアな温度特性を有している。
そのため、特にこの使用温度範囲において、センサー用出力回路２は、簡単な構成であっても、シートセンサー１の温度変化による出力レベルの変動を抑える温度補償として好適に機能する。
【００３２】
また、本実施形態のセンサー出力装置１００によれば、シートセンサー１と、センサー用出力回路２と、は一つの筐体に格納されており、シートセンサー１の周辺温度と、センサー用出力回路２の周辺温度とが同程度となる。そのため、上記の温度補償において、両者の周辺温度が異なる場合を考慮する必要がなく、温度補償が容易となる。
【００３３】
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および以下に示す変形例において示した構成要素は適宜に組み合わせて構成することが可能である。
【００３４】
（変形例１）
例えば、上記実施形態では、圧電素子１１は、多孔質層の少なくとも片面に電解層を設けた樹脂フィルムを加圧条件下で非反応性ガスを浸透させ、次いで非加圧条件下で加熱処理を施した多孔性樹脂フィルムに、直流高電圧放電処理を施してエレクトレット化したエレクトレット化フィルム１２に対して、電極層１３が積層されたものであったが、圧電素子の態様はこれに限定されない。圧電素子は、内部に電荷を確保可能な多孔質層を含む多孔性樹脂フィルムであって、圧電効果を示すものであればよい。また、圧電素子の形状はシート状のものに限られず、例えばブロック状のものであってもよい。
【００３５】
（第二実施形態）
以下、本発明の第二実施形態に係るセンサー出力装置１００Ｂを、図７から図９を参照しながら説明する。なお、図面を見やすくするため、各構成要素の厚さや寸法の比率は適宜調整されている。以降の説明において、既に説明したものと共通する構成については、同一の符号を付して重複する説明を省略する。
【００３６】
図７は、センサー出力装置１００Ｂを示すブロック図である。
センサー出力装置１００Ｂは、図７に示すように、シートセンサー１と、センサー用出力回路２Ｂと、を備えている。シートセンサー１とセンサー用出力回路２Ｂとは一つの筐体に格納されている。
【００３７】
センサー用出力回路２Ｂは、図７に示すように、オペアンプ２１と、サーミスタ２２Ｂと、第二抵抗２４と、第三抵抗２５と、を有している。第二抵抗２４および第三抵抗２５は、抵抗器である。なお、図７に示すブロック図には、主要な電子部品のみが示されており、コンデンサや抵抗等の電子回路に必要な部品であっても、本実施形態の効果に直接関係のないものは省略されている。
【００３８】
オペアンプ２１は、シートセンサー１の出力端子１４から入力される電気信号を増幅する。出力端子１４から出力される電気信号は、第二抵抗２４を介して、オペアンプ２１の反転入力端子（−）に接続されている。オペアンプ２１の非反転入力端子（＋）はグランドに接続されている。オペアンプ２１の出力信号は、サーミスタ２２Ｂおよび第三抵抗２５で構成される帰還抵抗を介して、オペアンプ２１の反転入力端子（−）に接続されている。
【００３９】
このように構成されたセンサー用出力回路２Ｂは、いわゆる反転増幅回路を構成し、入力信号を増幅し反転出力する。ここで、センサー用出力回路２Ｂは、反転増幅回路に限定されない。センサー用出力回路２Ｂは、帰還回路によるフィードバックを有し、入力信号を増幅する回路、例えば非反転増幅回路であってもよい。
【００４０】
なお、オペアンプ２１の種類は特に限定されない。シートセンサー１からの入力信号を増幅するために、シートセンサー１からの入力電圧の範囲が、オペアンプ２１の飽和領域でなく能動領域に含まれるように、オペアンプ２１を選定する。
【００４１】
サーミスタ２２Ｂは、サーミスタ２２同様、温度変化に対して大きな抵抗変化を示す抵抗器である。サーミスタ２２Ｂは、一般的な熱過敏性抵抗器(Thermally sensitive resistor)である。サーミスタ２２Ｂの種類は特に限定されない。サーミスタ２２Ｂは、負の温度係数を持つものであればよく、例えばＮＴＣ型サーミスタである。
【００４２】
サーミスタ２２Ｂおよび第三抵抗２５は、オペアンプ２１の帰還回路を構成する。サーミスタ２２Ｂと第三抵抗２５は、直列に接続されているため、帰還回路の抵抗値Ｒｆは、サーミスタ２２の抵抗値Ｒｓと、第三抵抗２５の抵抗値Ｒ２とを足し合わせた値となる。
【００４３】
図８は、入力信号レベルが一定の場合におけるセンサー用出力回路２Ｂの温度とアンプゲインとの関係を示すグラフである。
センサー用出力回路２Ｂは反転増幅回路であり、出力信号の増幅率は、第二抵抗２４の抵抗値Ｒ２に対する帰還抵抗の抵抗値Ｒｆの比（Ｒｆ／Ｒ２）によって決定される。温度が上昇すると、図４に示すように、サーミスタ２２Ｂの抵抗値Ｒｓが低下し、帰還抵抗の抵抗値Ｒｆも低下する。そのため、図８に示すように、センサー用出力回路２Ｂのアンプゲインも低下する。
【００４４】
なお、帰還回路の構成は、直列接続されたサーミスタ２２Ｂと第三抵抗２５の構成に限定されない。帰還回路の構成は、抵抗値が温度上昇に伴って低下するものであればよく、例えば、サーミスタ２２Ｂと第三抵抗２５とが並列に接続されたものであってもよい。
【００４５】
次に、センサー出力装置１００Ｂの温度が変化した際の動作について説明する。温度が上昇すると、図３に示すように、シートセンサー１からの出力信号のレベルが上がる。その結果、センサー用出力回路２Ｂに入力される入力信号の電圧レベルは上がる。一方、温度が上昇するとセンサー用出力回路２Ｂのアンプゲインは、図８に示すように低下する。
【００４６】
図９は、センサー出力装置１００Ｂの温度と出力信号の電圧レベルとの関係を示すグラフである。センサー出力装置１００Ｂの温度が上昇して、センサー用出力回路２Ｂへの入力信号の電圧レベルが上昇した場合であっても、センサー用出力回路２Ｂのアンプゲインの低下により、図９に示すように、センサー用出力回路２Ｂの電圧レベルの変動を抑えることができる。
【００４７】
（第二実施形態の効果）
以上のように構成される本実施形態のセンサー出力装置１００Ｂによれば、センサー用出力回路２Ｂにより、多孔性樹脂を有するシート状の圧電素子１１を備えたシートセンサー１の温度変化による出力レベルの変動を抑える温度補償が可能となる。
【００４８】
また、本実施形態のセンサー出力装置１００Ｂによれば、センサー用出力回路２Ｂは、簡単な電気回路を付加するのみ容易に実装でき、また、安価に実装できる。
【００４９】
シートセンサー１のセンサー感度の温度特性（図３参照）と、センサー用出力回路２Ｂのアンプゲインの温度特性（図８参照）とは、温度による特性の変化の向きが反対となる。特に、センサー出力装置１００Ｂを楽器用ピックアップとして使用する場合の使用温度範囲である０℃から５０℃程度までの範囲においては、シートセンサー１のセンサー感度の温度特性（図３参照）および、センサー用出力回路２Ｂのアンプゲインの温度特性（図８参照）は、リニアな温度特性を有している。
そのため、特にこの使用温度範囲において、センサー用出力回路２Ｂは、簡単な構成であっても、シートセンサー１の温度変化による出力レベルの変動を抑える温度補償として好適に機能する。
【００５０】
また、本実施形態のセンサー出力装置１００Ｂによれば、シートセンサー１と、センサー用出力回路２Ｂと、は一つの筐体に格納されており、シートセンサー１の周辺温度と、センサー用出力回路２Ｂの周辺温度とが同程度となる。そのため、上記の温度補償において、両者の周辺温度が異なる場合を考慮する必要がなく、温度補償が容易となる。
【００５１】
（第三実施形態）
本発明の第三実施形態について、図１０を参照して説明する。本発明の第三実施形態に係るアコースティックギター用の音響出力装置２００は、センサー出力装置１００を備えている。以降の説明において、既に説明したものと共通する構成については、同一の符号を付して重複する説明を省略する。
【００５２】
図１０は、アコースティックギター用の音響出力装置２００のブロック図である。
音響出力装置２００は、図１０に示すように、センサー出力装置１００と、ピエゾセンサー出力装置３００と、信号処理部４００と、を備えている。
【００５３】
シートセンサー１は、アコースティックギターの筐体のうち、振動板として機能する部分に取り付けられ、振動を検出するアコースティックギター用ピックアップとして使用される。
【００５４】
ピエゾセンサー出力装置（第二センサー出力装置）３００は、ピエゾセンサー３と、ピエゾセンサー用出力回路４と、を備えている。
【００５５】
ピエゾセンサー（第二センサー）３は、振動を電気信号に変えるピエゾ素子を備えたセンサーである。ピエゾセンサー３は、圧力が加わることで電流が発生するピエゾ素子により、共鳴板などの物理的な振動を直接音声信号に変換できる。
【００５６】
ピエゾセンサー３も、シートセンサー１同様、アコースティックギターの筐体のうち、振動板として機能する部分に取り付けられ、振動を検出するアコースティックギター用ピックアップとして使用される。
【００５７】
ピエゾセンサー用出力回路（第二センサー用出力回路）４は、ピエゾセンサー３の微弱な出力信号を増幅する、例えばオペアンプを有する出力回路である。ピエゾセンサー３は、シートセンサー１と比較して温度依存性が低く、ピエゾセンサー用出力回路４に特別な温度補償は不要である。
【００５８】
信号処理部４００は、センサー出力装置１００の出力と、ピエゾセンサー出力装置３００の出力とを受け取り、二つのセンサーからの出力信号を信号処理により音響信号に変換し、さらに音響信号のレベルを調整（ミキシング）して最終的な音響信号を出力する。信号処理部４００は、必要があれば、音響信号に音響効果を加えることもできる。
【００５９】
信号処理部４００は、ＣＰＵおよびメモリで構成されたプログラム実行可能なコンピュータで構成されていてもよく、また、その一部もしくは全部が、ＤＳＰなどの専用のハードウェアで構成されていてもよい。
【００６０】
次に、アコースティックギター用の音響出力装置２００の動作について説明する。
演奏者がアコースティックギターを演奏することで、アコースティックギターの筐体の振動板に装着されたシートセンサー１およびピエゾセンサー３は、アコースティックギターの筐体の振動板の振動を検出する。センサー用出力回路２およびピエゾセンサー用出力回路４は、それぞれのセンサーの出力信号を信号処理部４００に出力する。信号処理部４００は音響信号のレベルを調整して、最終的な音響信号を出力する。
【００６１】
アコースティックギター用の音響出力装置２００がステージ上の照明の照らされること等で、アコースティックギターおよび音響出力装置２００の周辺温度が上昇した場合、シートセンサー１は、図３で示すように、温度が高いほどセンサー感度が高くなり、シートセンサー１からの出力信号の電圧レベルが上がるため、温度補償が必要となる。
一方、ピエゾセンサー３は、シートセンサー１と比較して温度依存性が低く、このような場合において、ピエゾセンサー３からの出力信号に対して温度補償は不要である。
【００６２】
本来、センサー出力装置１００の出力と、ピエゾセンサー出力装置３００の出力とが、温度補償なく信号処理部４００に入力される場合、信号処理部４００は、各センサーの温度依存性を考慮して、音響信号のレベルを調整する必要がある。
しかしながら、センサー用出力回路２の温度補償機能により、シートセンサー１の温度変化による出力レベルの変動を好適に抑えることができる。そのため、信号処理部４００は、温度依存性を考慮せずに、各センサーから取得した音響信号のレベルを調整することができる。
【００６３】
（第三実施形態の効果）
以上のように構成される本実施形態の音響出力装置２００によれば、複数のセンサー（シートセンサー１およびピエゾセンサー３）が異なる温度特性を持っている場合であっても、温度補償が必要なセンサーの出力回路において、電気回路により温度補償を行うため、音響信号のレベルを調整する際に温度補償を考慮する必要がない。
【００６４】
また、本実施形態の音響出力装置２００によれば、センサー出力装置１００をアコースティックギター用ピックアップとして使用する場合の使用温度範囲である０℃から５０℃程度までの範囲においては、第一実施形態同様、安価で簡単な電気回路により、シートセンサー１の温度変化による出力レベルの変動を抑える温度補償を好適に行う事できる。
【００６５】
以上、本発明の第三実施形態について図面を参照して詳述したが、具体的な構成はこの実施形態に限られるものではなく、本発明の要旨を逸脱しない範囲の設計変更等も含まれる。また、上述の第三実施形態および以下に示す変形例において示した構成要素は適宜に組み合わせて構成することが可能である。
【００６６】
（変形例２）
例えば、上記実施形態では、音響出力装置２００はアコースティックギターに取り付けられて、ピックアップとして使用されていたが、音響出力装置２００の取り付け対象楽器はこれに限定されない。音響出力装置２００は、例えばマリンバなどの振動を音に変換する楽器に取り付けて使用することができる。
【００６７】
（変形例３）
また、上記実施形態では、シートセンサーとともに用いる第二センサーはピエゾセンサー３であったが、第二センサーの態様はこれに限定されない。第二センサーは、楽器用ピックアップとして使用可能なセンサーであればよい。
【００６８】
（変形例４）
また、上記実施形態では、センサー用出力回路２にサーミスタ２２を設けて温度補償を行ったが、温度補償の方法はこれに限定されない。シートセンサーと一つの筐体に、サーミスタ等の温度変化を検出可能な素子やセンサーを設け、信号処置装置が温度変化を検出し、シートセンサーの温度補償に対応する信号処理を施してもよい。また、上記実施形態の音響出力装置の補助的機能として、このような処理を可能としておけば、より確実にシートセンサーの温度補償を行うことができる。
【００６９】
（変形例５）
また、上記実施形態では、アコースティックギター（楽器）は、シートセンサー１とピエゾセンサー３とを備えていたが、アコースティックギター（楽器）に搭載するセンサーの態様はこれに限定されない。アコースティックギター（楽器）は、シートセンサー１のみを備えてもよいし、シートセンサー１およびピエゾセンサー３以外の他のセンサーをさらに備えてもよい。
【符号の説明】
【００７０】
１００，１００Ｂ…センサー出力装置、１…シートセンサー（センサー）、１１…圧電素子、１２…エレクトレット化フィルム、１３…電極層、１３ａ…第１電極層、１３ｂ…第２電極層、１４…出力端子、２，２Ｂ…センサー用出力回路（出力回路）、２１…オペアンプ、２２，２２Ｂ…サーミスタ、２３…第一抵抗、２４…第二抵抗、２５…第三抵抗、２００…音響出力装置、３００…ピエゾセンサー出力装置（第二センサー出力装置）、３…ピエゾセンサー（第二センサー）、４…ピエゾセンサー用出力回路（第二センサー用出力回路）、４００…信号処理部
【図１】
2019087886.tif 000003
【図２】
2019087886.tif 000004
【図３】
2019087886.tif 000005
【図４】
2019087886.tif 000006
【図５】
2019087886.tif 000007
【図６】
2019087886.tif 000008
【図７】
2019087886.tif 000009
【図８】
2019087886.tif 000010
【図９】
2019087886.tif 000011
【図１０】
2019087886.tif 000012